(57)【特許請求の範囲】
【請求項１】
槽体と、
前記槽体の内側に配置されており、上端および下端が開口する管体と、
前記槽体の内側であって前記管体の外側において被処理水を供給する供給部と、
前記管体の内側に配置されており、前記被処理水を上端から溢流させる溢流部と、
前記溢流部から溢流する前記被処理水を回収して前記槽体の外部に排出する排出部と、
を備え、
前記供給部と前記管体との間における前記被処理水の流入開口の開口面積が、
前記管体の内側において前記被処理水が湧出する湧出開口の開口面積よりも大きく、
前記供給部は、
前記溢流部よりも高い位置に設けられた堰の上端から前記被処理水を溢流させることによって、前記被処理水を前記流入開口に供給する、
沈殿槽。
【請求項２】
前記供給部から前記管体の下端の開口までの間の前記被処理水の流路において前記槽体と前記管体との間に配置されており、前記管体から前記槽体の内周面に向かう方向から見て、鉛直軸線に斜めに交差する複数の傾斜板を備える、
請求項１に記載の沈殿槽。
【請求項３】
槽体と、
前記槽体の内側に配置されており、上端および下端が開口する管体と、
前記槽体の内側であって前記管体の外側において被処理水を供給する供給部と、
前記管体の内側に配置されており、前記被処理水を上端から溢流させる溢流部と、
前記溢流部から溢流する前記被処理水を回収して前記槽体の外部に排出する排出部と、を備え、
前記供給部から前記管体の下端の開口までの間の前記被処理水の流路において前記槽体と前記管体との間に配置されており、前記管体から前記槽体の内周面に向かう方向から見て、鉛直軸線に斜めに交差する複数の傾斜板を備える、
沈殿槽。
【請求項４】
前記供給部と前記管体との間における前記被処理水の流入開口の開口面積が、
前記管体の内側において前記被処理水が湧出する湧出開口の開口面積よりも大きい、
請求項３に記載の沈殿槽。
【請求項５】
前記管体の外周面は、前記複数の傾斜板のそれぞれと当接している、
請求項２から４のいずれか１項に記載の沈殿槽。
【請求項６】
前記傾斜板は、
上方から下方に向かうにつれて第１の方向に傾斜する第１群と前記第１の方向に交差する第２の方向に傾斜する第２群とを備える、
請求項２から５のいずれか１項に記載の沈殿槽。
【請求項７】
前記管体は、
前記上端の開口面積よりも前記下端の開口面積が大きく、かつ前記下端から前記上端に向かうにつれて、水平方向の管路断面積が非増加である、
請求項１から６のいずれか1項に記載の沈殿槽。
【請求項８】
前記管体の水平方向の管路断面積は、前記下端から前記上端に向かうにつれて段階的に縮小している、
請求項７に記載の沈殿槽。
【請求項９】
前記管体の内側に、下端が閉塞された筒状部材を備え、
前記筒状部材は、前記管体の内周面から離間して配置され、
前記溢流部は、前記筒状部材の上端に形成され、前記筒状部材の外側から内側に向かって前記被処理水を溢流させる、
請求項１から８のいずれか1項に記載の沈殿槽。
【発明の詳細な説明】
【技術分野】
【０００１】
本発明の実施形態は沈殿槽に関する。
【背景技術】
【０００２】
従来の沈殿槽では、被処理水がフィードウェルの上側に供給される。フィードウェルは槽体の中央部に配置される。被処理水はフィードウェル内を下降する。槽体の底部に達した被処理水は、フィードウェルの外側の流路において時間をかけて上昇する。被処理水は、フィードウェルよりも外側に設けられた溢流堰の上端に上昇する。被処理水は溢流堰から溢流する。
被処理水が槽体の底部から溢流堰の上端に達する間、被処理水内のフロックが自重で沈降する。フロックは槽体の底部に沈殿する。フロックは被処理水から分離される。この結果、溢流堰の上端から溢流する被処理水は、フロックの除去された清澄水になっている。
【０００３】
しかし、フィードウェルの外側の流路では、フロックが、被処理水の上昇流に逆らって沈降するため、沈殿に長時間を要する。
さらに、フィードウェルから下方に噴出する被処理水は、フィードウェルの外側の流路の流れを乱す。
例えば、フィードウェルから槽体の底部に向かって噴出する被処理水は、フロックが沈殿した汚泥に当たる。汚泥は被処理水の噴流によって巻き上げられる。巻き上げられた汚泥はフィードウェルの外側の流路に拡散する。
フィードウェルから下方に噴出する被処理水は、フィードウェルの近傍の被処理水を下方に巻き込んで、槽体の底部に沿って流れる。槽体の底部に沿う被処理水の流れは、槽体の内壁に衝突する。槽体の底部近傍におけるこのような流れは、槽体の内壁に沿って少し上昇してからフィードウェルに向かって戻る循環流を誘発する。このため、フィードウェルの外側の流路のうち底部寄りでは、一様な上昇流が形成されず、フロックの沈降が安定しにくい。
【先行技術文献】
【特許文献】
【０００４】
【特許文献１】特許第４６９６６４６号公報
【発明の概要】
【発明が解決しようとする課題】
【０００５】
本発明が解決しようとする課題は、被処理水中のフロックなどの固形分を効率よく沈殿させることができる沈殿槽を提供することである。
【課題を解決するための手段】
【０００６】
実施形態の沈殿槽は、槽体と、管体と、供給部と、溢流部と、排出部とを持つ。管体は、槽体の内側に配置されており、上端および下端が開口する。供給部は、槽体の内側であって管体の外側において被処理水を供給する。溢流部は、管体の内側に配置されており、被処理水を上端から溢流させる。排出部は、溢流部から溢流する被処理水を回収して槽体の外部に排出する。供給部と管体との間における被処理水の流入開口の開口面積は管体の内側において被処理水が湧出する湧出開口の開口面積よりも大きい。供給部は、溢流部よりも高い位置に設けられた堰の上端から被処理水を溢流させることによって、被処理水を流入開口に供給する。
【図面の簡単な説明】
【０００７】
【図１】第１の実施形態の沈殿槽の構成例を示す模式的な縦断面図。
【図２】第１の実施形態の沈殿槽の構成例を示す模式的な平面図。
【図３】図２におけるＡ視図。
【図４】図２におけるＢ視図。
【図５】図１におけるＣ−Ｃ断面図。
【図６】フロックの沈降速度を説明する模式図。
【図７】第２の実施形態の沈殿槽の構成例を示す模式的な縦断面図。
【図８】図７におけるＤ−Ｄ断面図。
【図９】図８におけるＥ視の模式的な拡大図。
【図１０】第２の実施形態の沈殿槽の傾斜板の作用を説明する模式図。
【図１１】第２の実施形態の沈殿槽の傾斜板の動作説明図。
【図１２】第２の実施形態の沈殿槽に用いることができる傾斜板の第１の変形例を示す模式図。
【図１３】第２の実施形態の沈殿槽に用いることができる傾斜板の第２の変形例を示す模式図。
【図１４】第３の実施形態の沈殿槽の構成例を示す模式的な縦断面図。
【図１５】第４の実施形態の沈殿槽の構成例を示す模式的な縦断面図。
【図１６】第５の実施形態の沈殿槽の構成例を示す模式的な縦断面図。
【図１７】第６の実施形態の沈殿槽の構成例を示す模式的な縦断面図。
【図１８】第７の実施形態の沈殿槽の構成例を示す模式的な縦断面図。
【発明を実施するための形態】
【０００８】
以下、実施形態の沈殿槽を、図面を参照して説明する。なお、各図において、同一構成については同一の符号を付す。
【０００９】
（第１の実施形態）
図１は、第１の実施形態の沈殿槽の構成例を示す模式的な縦断面図である。図２は、第１の実施形態の沈殿槽の構成例を示す模式的な平面図である。図３は、図２におけるＡ視図である。図４は、図２におけるＢ視図である。
【００１０】
図１に示すように、本実施形態の沈殿槽５０は、装置外部から供給される被処理水Ｗｆ内の固形分を沈殿除去する装置である。固形分が沈殿除去された被処理水Ｗｆは、清澄水として沈殿槽５０の外部に排出される。以下、被処理水Ｗｆが清澄水になっていることを明示する場合には、清澄水Ｗｃと表記する。
沈殿槽５０は、槽本体１（槽体）と、供給路６（供給部）と、排水受け部７（排出部）と、センターウェル８（管体）と、掻き寄せ機構１０と、を持つ。
【００１１】
槽本体１には、固形物を沈殿除去するため、被処理水Ｗｆが満たされる。槽本体１の形状は、上方に開口する有底筒状である。槽本体１の底面部１ｂは、外縁部から中央部に向かって緩やかに傾斜するすり鉢状である。
底面部１ｂの中央部には、沈殿物引き抜き管１５が接続されている。
沈殿物引き抜き管１５は、底面部１ｂに沈殿する沈殿物を槽本体１の外部に引き抜く。
底面部１ｂの外縁部には、壁部１ａが上方に向かって延びている。
壁部１ａの上部には、流入トラフ２が接続されている。流入トラフ２は、壁部１ａに開口する開口２ａを通して被処理水Ｗｆを槽本体１内に流入させる。
【００１２】
壁部１ａの平面視形状は、円状、多角形状などの種々の形状が可能である。本実施形態では、図２に示すように、壁部１ａの平面視形状は円状である。
壁部１ａの内側には、外周側から中心部に向かって、供給路６、排水受け部７、およびセンターウェル８がこの順に配置されている。
【００１３】
以下では、中心軸線が特定できる軸状、筒状の部材に関する相対位置について説明する場合に、軸方向、周方向、径方向を用いる場合がある。
軸方向は、中心軸線に沿う方向である。周方向は、中心軸線回りに周回する方向である。径方向は、中心軸線に直交する平面において中心軸線に交差する線に沿う方向である。
【００１４】
供給路６は、流入トラフ２から導入された被処理水Ｗｆを、槽本体１の内側であってセンターウェル８の外側の領域に供給する。
供給路６は、外周側供給路６Ａと、複数の放射状供給路６Ｂと、を持つ。
【００１５】
外周側供給路６Ａは、供給路底面部４と、周方向供給堰５とを持つ。
供給路底面部４は、平面視円環状の板状部材である。供給路底面部４は水平に配置されている。供給路底面部４の外縁部は、壁部１ａの内周面に固定されている。供給路底面部４の内縁部には、周方向供給堰５が立設されている。周方向供給堰５は、槽本体１の壁部１ａと同心円の関係になるように配置された円筒状部材である。
【００１６】
図１に示すように、供給路底面部４は、流入トラフ２の槽本体１内の開口２ａよりも下側に配置されている。
周方向供給堰５の供給路底面部４からの高さは周方向にわたって略一定である。周方向供給堰５の供給堰上端５ａは、流入トラフ２の槽本体１内の開口２ａよりも上側に位置する。供給堰上端５ａは、槽本体１の壁部１ａの上端よりも下側に位置する。
外周側供給路６Ａは、径方向に沿う断面では、壁部１ａ、供給路底面部４、および周方向供給堰５によって形成された上方に開口する矩形溝部である。外周側供給路６Ａの溝深さは、供給路底面部４上の周方向供給堰５の高さによって規定される。
【００１７】
図３に示すように、本実施形態では、周方向供給堰５の上端部には、切欠き部Ｎが周方向に離間して多数形成されている。ただし、図２においては切欠き部Ｎの図示は省略されている。
切欠き部Ｎは、周方向供給堰５の板厚方向（径方向）に貫通している。例えば、切欠き部Ｎの形状は、径方向から見てＶ字状、Ｕ字状、矩形状などとしてもよい。図３には、一例として、径方向から見てＶ字状の切欠き部Ｎが描かれている。
切欠き部Ｎの供給堰上端５ａからの深さは、槽本体１の設置誤差あるいは周方向供給堰５の製造誤差などによって生じうる供給堰上端５ａの水平面からのズレ量以上とされる。このため、供給堰上端５ａが水平面から傾いて、供給堰上端５ａが外周側供給路６Ａ内の被処理水Ｗｆの水面より高くなっても、切欠き部Ｎを通して被処理水Ｗｆが流通することができる。
【００１８】
図３に示すように、周方向供給堰５の上端部には、放射状供給路６Ｂが接続されている。本実施形態では、放射状供給路６Ｂは、樋９によって形成される。樋９は、樋底面部９ａと、供給堰９ｂとによって形成された上方に開口する矩形溝部である。樋９は、周方向供給堰５からその径方向（図３における紙面奥行き方向）に沿って後述する排水受け部７まで延ばされている。
樋底面部９ａは、周方向供給堰５の径方向に細長い平板状である。樋底面部９ａは、供給路底面部４よりも高く、切欠き部Ｎの下端よりも低い位置において略水平に配置されている。
供給堰９ｂは、樋底面部９ａの短手方向（図３における横方向）の両端部において、樋底面部９ａの長手方向に沿って立設されている。各供給堰９ｂにおける供給堰上端９ｃは、周方向供給堰５の供給堰上端５ａと面一である。
樋９の一端部は、周方向供給堰５との接続部において開口している。このため、樋９によって形成される放射状供給路６Ｂは、外周側供給路６Ａと連通している。
樋９の他端部は、後述する排水受け部７によって閉止されている。
【００１９】
図４に示すように、本実施形態では、各供給堰９ｂの上端部には、周方向供給堰５に形成されているのと同様の切欠き部Ｎが供給堰９ｂの長手方向に離間して多数形成されている。
【００２０】
図２に示すように、本実施形態における樋９は、周方向供給堰５の内周面および後述する排水受け部７の外周面を４等分する４箇所に、それぞれ設けられている。
【００２１】
図２に示すように、排水受け部７は、底面部７ａと、壁部７ｂとを持つ。
底面部７ａは、水平に配置された円板状部材である。底面部７ａの中心部には、後述するセンターウェル８が貫通している。
壁部７ｂは、槽本体１の壁部１ａと同心円の関係になるように配置された円筒状部材である。壁部７ｂは、底面部７ａの外縁部から上方に向かって立設されている。壁部７ｂの外周面には、各樋９の端部が接続されている。
【００２２】
図１に示すように、底面部７ａは、供給堰上端５ａよりも下方の位置に配置されている。
壁部７ｂの上端は、供給堰上端５ａよりも上方、かつ槽本体１の壁部１ａの上端よりも下方に位置する。
排水受け部７は、後述するセンターウェル８から溢流する被処理水Ｗｆを収容する。
壁部７ｂの下端側には、流出トラフ３（排出部）が連結されている。流出トラフ３は、排水受け部７に溢流した被処理水Ｗｆを槽本体１の外部に流出させる管状部材である。
流出トラフ３は、槽本体１の径方向に沿って、壁部７ｂから槽本体１の外部に延ばされている。流出トラフ３は、壁部７ｂとの接続部において、排水受け部７の内部に開口している。流出トラフ３は、周方向供給堰５および壁部１ａを貫通している。
【００２３】
図１に示すように、センターウェル８は、槽本体１の内側に配置されており、ウェル上端８ａ（上端、溢流部）およびウェル下端８ｂ（下端）が開口する管体である。
図２に示すように、本実施形態におけるセンターウェル８は、排水受け部７の壁部７ｂの内径よりも小径の外径を持つ円筒状部材である。センターウェル８は、槽本体１の壁部１ａと同心円の関係になるように配置されている。
図１に示すように、センターウェル８は、排水受け部７の底面部７ａを貫通している。
ウェル上端８ａは水平面に沿っている。ウェル上端８ａは、周方向供給堰５の供給堰上端５ａよりも下方に位置する。
センターウェル８の上端部には、上述の切欠き部Ｎが設けられていてもよい。
センターウェル８は、底面部７ａから槽本体１内の下半側の領域に延ばされている。ウェル下端８ｂと底面部１ｂとの間には、後述する掻き寄せ機構１０が配置可能な隙間があけられている。
【００２４】
図２に示すように、上述の構成によって、槽本体１の内側の上部には、複数の流路と複数の開口とが形成されている。
壁部１ａの内周面に沿う円環状の領域には、外周側供給路６Ａによる平面視円環状の流路が形成されている。外周側供給路６Ａには、流入トラフ２から被処理水Ｗｆが流入できる。
周方向供給堰５と排水受け部７との間には、外周側供給路６Ａと連通する４つの放射状供給路６Ｂが形成されている。
このため、周方向供給堰５と排水受け部７の壁部７ｂとの間には、周方向に沿って流入開口Ｓｉ１、Ｓｉ２、Ｓｉ３、Ｓｉ４が形成されている。
【００２５】
流入開口Ｓｉ１は、流入トラフ２と排水受け部７とに挟まれた領域に形成されている。流入開口Ｓｉ２、Ｓｉ３、Ｓｉ４は、流入開口Ｓｉ１から図示時計回りにこの順に配置されている。本実施形態では、流入開口Ｓｉ３には、流出トラフ３が横断している。
流出トラフ３の横断の有無を除けば、流入開口Ｓｉ１、Ｓｉ２、Ｓｉ３、Ｓｉ４は、互いに同形状である。以下、流入開口Ｓｉ１、Ｓｉ２、Ｓｉ３、Ｓｉ４を総称する場合、または、流入開口Ｓｉ１、Ｓｉ２、Ｓｉ３、Ｓｉ４のいずれにも当てはまる説明をする場合には、単に流入開口Ｓｉと言う場合がある。
【００２６】
流入開口Ｓｉは、周方向に互いに隣り合う２つの樋９の供給堰９ｂと、この２つの樋９の間の供給堰上端５ａおよび壁部７ｂと、によって囲まれた開口である。流入開口Ｓｉの平面視の形状は、扇形状である。
供給路６に被処理水Ｗｆが満たされると、供給堰上端５ａおよび供給堰上端９ｃを乗り越えた被処理水Ｗｆが流入開口Ｓｉに流入することができる。
【００２７】
センターウェル８のウェル上端８ａの内側には、円形開口である湧出開口Ｓｏが形成されている。ウェル上端８ａは供給堰上端５ａよりも低い。ウェル下端８ｂは槽本体１の内部に開口している。このため、湧出開口Ｓｏには、槽本体１の内部の被処理水Ｗｆが湧出可能である。
本実施形態では、湧出開口Ｓｏの開口面積は、流入開口Ｓｉ１、Ｓｉ２、Ｓｉ３、Ｓｉ４の各開口面積の総和よりも小さい。
排水受け部７内に突出したセンターウェル８の外周面と、排水受け部７の壁部７ｂとの間には、流出トラフ３と連通する平面視円環状の流路が形成されている。
【００２８】
図１に示す掻き寄せ機構１０は、槽本体１の下部に沈殿した固形の沈殿物を底面部１ｂの中心部に掻き寄せる。
掻き寄せ機構１０は、掻き寄せ部１７と、掻き寄せシャフト１３と、駆動モータ１４と、を持つ。
【００２９】
掻き寄せ部１７は、槽本体１の内側の下端部において、底面部１ｂに沿って配置される。図５を参照して、掻き寄せ部１７の詳細構成について説明する。
図５は、図１におけるＣ−Ｃ断面図である。
掻き寄せ部１７は、支持部１１と、掻き寄せ板１２とを持つ。
支持部１１は、第１の支持部材１１Ａと、第２の支持部材１１Ｂとを持つ。
第１の支持部材１１Ａは、槽本体１の内径よりもわずかに短い棒状部材である。
第２の支持部材１１Ｂは、第１の支持部材１１Ａよりも短い棒状部材である。
第１の支持部材１１Ａと第２の支持部材１１Ｂとは、平面視で十字に交差するように互いに接合されている。
第１の支持部材１１Ａと第２の支持部材１１Ｂとの交差部には、後述する掻き寄せシャフト１３が連結されている。
【００３０】
掻き寄せ板１２は、第１の支持部材１１Ａおよび第２の支持部材１１Ｂの下側に、それぞれ複数固定されている。掻き寄せ板１２は、支持部１１が回転されることによって底面部１ｂ上の沈殿物を掻き寄せる。
第１の支持部材１１Ａの下側の各掻き寄せ板１２は、平面視において、第１の支持部材１１Ａの延在方向に対して一定の角度をなして同方向に傾斜している。
第２の支持部材１１Ｂの下側の各掻き寄せ板１２は、平面視において、第２の支持部材１１Ｂの延在方向に対して一定の角度をなして同方向に傾斜している。第２の支持部材１１Ｂの延在方向に対する各掻き寄せ板１２の傾斜方向は、第１の支持部材１１Ａの延在方向に対する各掻き寄せ板１２の傾斜方向と同方向である。
【００３１】
図１に示すように、各掻き寄せ板１２の下端部は、底面部１ｂとの間に略一定の隙間が形成される位置まで延ばされている。図１には、第１の支持部材１１Ａに固定された掻き寄せ板１２を図示しているが、第２の支持部材１１Ｂに固定された掻き寄せ板１２も同様である。
掻き寄せシャフト１３は、槽本体１の中心軸線と同軸となる位置に配置されている。掻き寄せシャフト１３は、図示略の軸受によって、槽本体１の中心軸線回りに回転可能に支持されている。
掻き寄せシャフト１３は、センターウェル８の中心部に挿通されている。掻き寄せシャフト１３の上端部は、槽本体１の上端よりも上方に突出されている。
【００３２】
掻き寄せシャフト１３の上端部は、図示略の支持部材に固定された駆動モータ１４に連結されている。
駆動モータ１４は、掻き寄せシャフト１３を回転駆動する。駆動モータ１４の回転方向は、支持部１１に固定された掻き寄せ板１２が回転することによって沈殿物が底面部１ｂの中心部に移動する方向である。例えば、図５に示す例では、図示反時計回りである。
【００３３】
上述した沈殿槽５０の動作について説明する。
まず、図１、図２を参照して、沈殿槽５０における被処理水Ｗｆの全体的な流れについて説明する。
図１に示すように、沈殿槽５０では、槽本体１内に被処理水Ｗｆが満たされた状態で、流入トラフ２から被処理水Ｗｆが連続的に導入される。流入トラフ２から導入される被処理水Ｗｆは、沈殿除去すべきフロックなどの固形分を含んでいる。
掻き寄せ機構１０の掻き寄せ部１７は、駆動モータ１４によって常時回転駆動されている。ただし、回転速度は遅いため、沈殿現象の説明においては、掻き寄せ部１７の回転に起因する槽本体１内の被処理水Ｗｆの周方向速度成分は無視できる。
【００３４】
図２に示すように、流入トラフ２の開口２ａから導入された被処理水Ｗｆは、外周側供給路６Ａに流入する。被処理水Ｗｆが外周側供給路６Ａの全周に満たされると、外周側供給路６Ａ内の水位が上昇する。
外周側供給路６Ａ内における水位が樋底面部９ａを越えると、被処理水Ｗｆは放射状供給路６Ｂに流入する。
放射状供給路６Ｂは外周側供給路６Ａに連通されているため、外周側供給路６Ａ内における水位が樋底面部９ａを越えてからは、外周側供給路６Ａにおける水位と放射状供給路６Ｂにおける水位とは同じである。
【００３５】
外周側供給路６Ａの水位が供給堰上端５ａの高さを越えると、被処理水Ｗｆが供給堰上端５ａを径方向に乗り越える。流入開口Ｓｉ１、Ｓｉ２、Ｓｉ３、Ｓｉ４の内側には、供給堰上端５ａに沿う位置から被処理水Ｗｆが供給される。
ただし、本実施形態では、周方向供給堰５の上部に図示略の切欠き部Ｎが形成されている。外周側供給路６Ａの水位が周方向供給堰５の切欠き部Ｎの下部を越えると、被処理水Ｗｆは、切欠き部Ｎからも供給される。
同様に、放射状供給路６Ｂの水位が供給堰上端９ｃの高さを越えると、被処理水Ｗｆが供給堰上端９ｃを周方向に乗り越える。流入開口Ｓｉ１、Ｓｉ２、Ｓｉ３、Ｓｉ４の内側には、供給堰上端９ｃに沿う位置から被処理水Ｗｆが供給される。
ただし、本実施形態では、供給堰９ｂの上部に図示略の切欠き部Ｎが形成されている。放射状供給路６Ｂの水位が供給堰９ｂの切欠き部Ｎの下部を越えると、被処理水Ｗｆは、切欠き部Ｎからも供給される。
【００３６】
本実施形態では、設計上、供給堰上端５ａおよび供給堰上端９ｃは同一高さの水平面に位置する。このため、設置誤差および部品誤差がなければ、被処理水Ｗｆは、供給堰上端５ａおよび供給堰上端９ｃを越えて、流入開口Ｓｉ１、Ｓｉ２、Ｓｉ３、Ｓｉ４に均等に供給される。
設置誤差あるいは部品誤差によって供給堰上端５ａおよび供給堰上端９ｃが水平面に対して傾いている場合には、場所による供給量のばらつきが生じるおそれもある。しかし、本実施形態では、周方向供給堰５および供給堰上端９ｃに切欠き部Ｎが形成されているため、場所による供給量のばらつきが緩和される。
このように、流入開口Ｓｉ１、Ｓｉ２、Ｓｉ３、Ｓｉ４には、周方向に延びる供給堰上端５ａと径方向に延びる供給堰上端９ｃとから略均等に被処理水Ｗｆが供給される。
【００３７】
図１に示すように、流入開口Ｓｉ１、Ｓｉ２、Ｓｉ３、Ｓｉ４に供給された被処理水Ｗｆは、センターウェル８の外側である、壁部７ｂと供給堰上端５ａとの間の領域で徐々に下降する流れを形成する。
被処理水Ｗｆは、槽本体１の下方に到達すると、中心部に向かって流れる。中心部に到達した被処理水Ｗｆは、センターウェル８のウェル下端８ｂを通って上昇する流れを形成する。
これは、センターウェル８のウェル上端８ａが供給堰上端５ａおよび供給堰上端９ｃの下方に位置するため、センターウェル８内の被処理水Ｗｆがウェル上端８ａを越えて湧出開口Ｓｏの外側に溢流するからである。
溢流した被処理水Ｗｆは、排水受け部７の内部に収容され、センターウェル８と壁部７ｂとの間の流路を通って流出トラフ３に流れる。被処理水Ｗｆは、流出トラフ３を通して沈殿槽５０の外部に排出される。
【００３８】
底面部７ａから突出されたセンターウェル８の上部は、センターウェル８の内側に配置されており、被処理水Ｗｆをウェル上端８ａから溢流させる溢流部である。
排水受け部７および流出トラフ３は、溢流部から溢流する被処理水Ｗｆを回収して槽本体１の外部に排出する排出部である。
【００３９】
被処理水Ｗｆに含まれる固形分の体積は微小量として無視できる。沈殿槽５０において、流入開口Ｓｉ１、Ｓｉ２、Ｓｉ３、Ｓｉ４に流入する流量と、湧出開口Ｓｏから流出する流量とは一致する。
流入開口Ｓｉ１、Ｓｉ２、Ｓｉ３、Ｓｉ４の近傍の下降流の平均流速をＶｄとし、湧出開口Ｓｏの近傍の上昇流の平均流速をＶｕとすれば、Ｖｄ＝（Ａｏ／Ａｉ）・Ｖｕである。ここで、Ａｏは湧出開口Ｓｏの開口面積、Ａｉは流入開口Ｓｉ１、Ｓｉ２、Ｓｉ３、Ｓｉ４の開口面積の総和である。
本実施形態では、Ａｉ＞Ａｏであるため、Ｖｄ＜Ｖｕである。
【００４０】
槽本体１の内部において、センターウェル８の外側と壁部１ａとの間の流路では、全体として略均一な下降流が形成される。センターウェル８の外周面は、排水受け部７の壁部７ｂよりも内側にあるため、水平方向の流路断面積は流入開口Ｓｉの開口面積の総和よりも少し大きい。したがって、センターウェル８の外周面と壁部１ａとの間の流路の下降流の平均流速は、Ｖｄよりもさらに小さいＶｄ’である。
センターウェル８の内部の流路では、全体として略均一な上昇流が形成される。本実施形態では、センターウェル８は管路断面積が一定の円筒部材であるため、上昇流の平均流速もＶｕである。
槽本体１においてセンターウェル８のウェル下端８ｂの下方の領域では、掻き寄せ部１７および底面部１ｂ上を外周側から中心部に向かう流れと、ウェル下端８ｂの近傍でセンターウェル８の内部に吸い上げられる流れとが発生する。被処理水Ｗｆの流速は、外周側から中心部に向かって徐々に加速される。
ウェル下端８ｂの近傍では、被処理水Ｗｆはウェル下端８ｂを回り込んで吸い込まれる流れの流速が大きくなる。このため、底面部１ｂの中心部から真上に上昇する上昇流の流速はウェル下端８ｂを回り込む流れよりも低速である。この結果、底面部１ｂ上の沈殿物は吸い上げられにくくなっている。
【００４１】
次に、槽本体１内における沈殿現象について説明する。
図６（ａ）、（ｂ）は、フロックの沈降速度を説明する模式図である。図６（ａ）は下降流中におけるフロックの沈降速度を示す。図６（ｂ）は上昇流中におけるフロックの沈降速度を示す。
【００４２】
被処理水Ｗｆに分散する固形分は、例えば、図６（ａ）、（ｂ）に模式的に示すフロックｆのように粒状または塊状であり、流速０の被処理水Ｗｆ中では、自重に応じた速さＶｆの下向きの速度を持つ。
このため、フロックｆは、流速Ｖｄの下降流中では、Ｖ＝Ｖｆ＋Ｖｄの速さで沈降する。これに対して、フロックｆは、流速Ｖｕの上昇流中では、Ｖ＝Ｖｆ−Ｖｕの速さで沈降する。
したがって、フロックｆは、下降流中の方が上昇流中よりも短時間で沈降していくため、より早く底面部１ｂに沈殿する。
ここで、上昇流で沈殿を実現するためには、Ｖｆ＞Ｖｕになっている必要がある。
本実施形態では、下降流の速さは、沈殿物の堆積層に下降流が当たっても、沈殿物が巻き上げられない程度に低速である。
【００４３】
沈殿槽５０では、被処理水Ｗｆ中のフロックｆは、センターウェル８と壁部１ａとの間の流路において、下降流とともに下方に沈降する。沈降中に近隣のフロックｆ同士が接触するとフロックｆが合体して塊状に成長していく。底面部１ｂに到達したフロックｆは、底面部１ｂあるいは底面部１ｂ上の沈殿物層上に付着して沈殿する。
フロックｆは、略均一な下降流中を下降流に沿って沈降するため、迅速かつ安定的に沈降する。
この下降流の流路は、センターウェル８内の上昇流の流路に比べて流路断面積が大きいため、被処理水Ｗｆがセンターウェル８に入る前に、被処理水Ｗｆに含まれる多くのフロックｆが沈殿していく。
この領域における被処理水Ｗｆの平均流速Ｖｄ、Ｖｄ’は低速であるため、フロックｆ同士の合体が進みやすい。加えて、被処理水Ｗｆが底面部１ｂに到達しても沈殿物が巻き上げにくくなる。
上述したように、センターウェル８に吸い上げられる流れは、ウェル下端８ｂの近傍で高速になるため、ウェル下端８ｂの真下に沈殿した沈殿物は吸い上げられにくくなっている。
【００４４】
このようにして、センターウェル８を上昇する被処理水Ｗｆは、センターウェル８に進入する前に、被処理水Ｗｆ内の固形分の多くが沈殿除去されている。ただし、センターウェル８を上昇する過程でも一部の沈殿は進行する。
ウェル上端８ａから溢流する被処理水Ｗｆは、清澄水Ｗｃになっている。
【００４５】
従来技術の沈殿槽では、槽体の中心に配置されたフィードウェルに被処理水を供給し、フィードウェルと槽体の内周面との間の流路を上昇させて槽体の上部に溢流させていた。このため、槽体内の流れが、本実施形態の沈殿槽５０とは反対である。
このため、フィードウェルを下降する下降流は槽体の底部への噴出流となって、沈降する固形分の確実な着床が阻害される。さらには、すでに堆積した沈殿物が巻き上げられて下降流における沈殿の効果が減殺される。
従来技術の沈殿槽では、主要な沈殿はフィードウェルの外側の上昇流の流路で行われる。このため、上昇流の流速を十分に低速にしないと沈殿の効率が悪くなる。この結果、沈殿に要する時間が長くなってしまう。
さらに、低速の上昇流は下降流に比べて安定させることが難しい。このためフィードウェルの外側の流路には部分的な循環流が生じやすくなる点でも沈殿性能および沈殿効率が劣ってしまう。
【００４６】
本実施形態の沈殿槽５０によれば、槽本体１内の流れを反転させているため、これらの従来技術の沈殿槽の問題点が解決される。
さらに、沈殿槽５０ではセンターウェル８を槽本体１の中心部に配置するため、各流入開口Ｓｉに開口面積の総和を湧出開口Ｓｏの開口面積よりも容易に大きくできる。この結果、下降流の流路における平均流速Ｖｄ、Ｖｄ’を低速化することが容易である。
【００４７】
以上説明したように、本実施形態の沈殿槽５０によれば、被処理水中のフロックなどの固形分を効率よく沈殿させることができる沈殿槽を提供することができる。
【００４８】
（第２の実施形態）
図７は、第２の実施形態の沈殿槽の構成例を示す模式的な縦断面図である。図８は、図７におけるＤ−Ｄ断面図である。図９は、図８におけるＥ視の模式的な拡大図である。
【００４９】
図７に示すように、本実施形態の沈殿槽５１は、上記第１の実施形態の沈殿槽５０に傾斜板２０が追加されている。
以下、上記第１の実施形態と異なる点を中心に説明する。
【００５０】
図７、８に示すように、傾斜板２０は、壁部１ａの内周面からセンターウェル８に向かって径方向に突出された平板である。傾斜板２０は、壁部１ａの周方向に沿って離間して複数個配置されている。各傾斜板２０の内周端部２０ｃは、センターウェル８の外周面から一定距離だけ離間している。
図９に示すように、各傾斜板２０は、センターウェル８から壁部１ａに向かう径方向に見ると、鉛直軸線Ｏｖに斜めに交差している。各傾斜板２０の鉛直軸線Ｏｖに対する傾斜角度は、θ（ただし、θは鋭角）である。各傾斜板２０の傾斜の向きはいずれも同方向である。
傾斜方向に沿う各傾斜板２０の長さは、Ｌである。
各傾斜板２０の水平方向の間隔は適宜の間隔に設定できる。図９に示す例では、鉛直軸線Ｏｖに沿う方向から見て、各傾斜板２０が上下方向に重なり合うように水平方向の間隔Ｘを決めている。すなわち、Ｘ＜Ｌｓｉｎθである。ただし、鉛直軸線Ｏｖに沿う方向から見て、各傾斜板２０に重なりが生じない程度に離してよい。すなわち、Ｘ≧Ｌｓｉｎθとしてもよい。
【００５１】
本実施形態の沈殿槽５１の作用について、上記第１の実施形態の作用と異なる点を中心に説明する。
図１０は、第２の実施形態の沈殿槽の傾斜板の作用を説明する模式図である。図１１は、第２の実施形態の沈殿槽の傾斜板の動作説明図である。
【００５２】
図９に示すように、各傾斜板２０は、平均流速Ｖｄの被処理水Ｗｆの下降流が進入する領域に配置されている。
周方向に互いに隣り合う傾斜板２０の各上端２０ａの間に進入する被処理水Ｗｆは、各傾斜板２０の間では、各傾斜板２０の傾斜方向に沿って流速Ｕで流れる。このため、傾斜板２０の上方から鉛直方向に下降するフロックｆは、各傾斜板２０の間では、鉛直軸線Ｏｖに対してより浅い角度θｆ（ただし、θｆ＜θ）だけ傾斜した斜め方向に、速さＵｆで沈降する。
【００５３】
図９に示す例では、１つの傾斜板２０の上端２０ａの近傍を下降するフロックｆが、フロックｆ’のように、隣りの傾斜板２０の下端２０ｂの近傍に着地する。
この場合、図１０に示すように、隣り合う傾斜板２０の上端２０ａの間に下降するフロックｆは、いずれもフロックｆ’’のように、傾斜板２０のいずれかの表面に着地する。
傾斜板２０上に着地したフロックｆ’’は、傾斜板２０上でころがりながら下方に移動する。
【００５４】
図１１には、沈殿槽５１の動作中における各傾斜板２０間の上の沈殿物が模式的に示されている。
各傾斜板２０の表面には、すでに多数のフロックｆが付着している。このフロック層の上側には、被処理水Ｗｆが傾斜板２０の傾斜方向に沿って下方に流れている。このため、フロック層内のフロックｆは、下方に押し流され、傾斜板２０の表面上をころがって移動する。この移動中に、フロックｆは、傾斜板２０上の他のフロックとの接触を繰り返すことで、より大きな塊状物に成長する。このため、上端２０ａの近傍のフロックｆｕよりも、下端２０ｂのフロックｆｄの方が大きくなる。
成長したフロックｆｄは、被処理水Ｗｆの流れの影響を受けにくくなるため、傾斜板２０の下方において迅速に底面部１ｂに沈殿する。
【００５５】
沈殿槽５１では、センターウェル８と壁部１ａとの間の下降流の流路に傾斜板２０が配置されるため、各傾斜板２０の間を下降する被処理水Ｗｆのフロックｆが傾斜板２０上に着地しやすくなる。このため、被処理水Ｗｆからのフロックｆの沈殿が促進される。
本実施形態の沈殿槽５１は、上記第１の実施形態の沈殿槽５０よりもさらに迅速かつ効率的に被処理水中のフロックなどの固形分を沈殿させることができる。
【００５６】
（第１の変形例）
図１２は、第２の実施形態の沈殿槽に用いることができる傾斜板の第１の変形例を示す模式図である。図１２は、図９と同様、図示略のセンターウェル８から壁部１ａに向かう径方向に見た模式的な拡大図である。
【００５７】
図１２に示す第１の傾斜板２１および第２の傾斜板２２は、上記第２の実施形態における傾斜板２０の第１の変形例である。本変形例の第１の傾斜板２１および第２の傾斜板２２は、上記第２の実施形態沈殿槽５１において傾斜板２０に代えて用いることができる。
【００５８】
第１の傾斜板２１および第２の傾斜板２２は、傾斜板２０と同様、壁部１ａの内周面からセンターウェル８に向かって径方向に突出された平板である。第１の傾斜板２１および第２の傾斜板２２は、壁部１ａの周方向に沿って離間して複数個配置されている。
複数の第１の傾斜板２１からなる第１群は、複数の第２の傾斜板２２からなる第２群よりも上側に配置されている。
【００５９】
各第１の傾斜板２１は、センターウェル８から壁部１ａに向かう径方向に見ると、鉛直軸線Ｏｖに対して、角度θ１（ただし、θ１は鋭角）だけ傾斜している。
各第１の傾斜板２１の傾斜の向きはいずれも同方向である。本変形例では、各第１の傾斜板２１は、上方から下方に向かうにつれて図示右から左に向かう第１の方向（図示左下がりの方向）に傾斜している。
傾斜方向に沿う各第１の傾斜板２１の長さは、Ｌ１である。
各第１の傾斜板２１の水平方向の間隔Ｘ１は適宜の間隔に設定できる。図１２に示す例では、間隔Ｘ１は、鉛直軸線に沿う方向から見て、各第１の傾斜板２１に重なりが生じない間隔である。ただし、間隔Ｘ１は、鉛直軸線に沿う方向から見て、各第１の傾斜板２１に重なりが生じる間隔でもよい。
【００６０】
各第２の傾斜板２２は、センターウェル８から壁部１ａに向かう径方向に見ると、鉛直軸線Ｏｖに対して、角度θ２（ただし、θ２は鋭角）だけ傾斜している。
各第２の傾斜板２２の傾斜の向きはいずれも同方向である。本変形例では、各第２の傾斜板２２は、上方から下方に向かうにつれて図示左から右に向かう第２の方向（図示右下がりの方向）に傾斜している。このため、第２の傾斜板２２の傾斜方向は、第１の傾斜板２１の傾斜方向に交差する方向である。各第２の傾斜板２２の傾斜方向は、下がっていく周方向の向きに関しては、各第１の傾斜板２１が下がっていく周方向の向きとは反対である。
傾斜方向に沿う各第２の傾斜板２２の長さは、Ｌ２である。
各第２の傾斜板２２の水平方向の間隔は、各第１の傾斜板２１の水平方向の間隔と同一のＸ１である。
各第２の傾斜板２２は、それぞれの直上の第１の傾斜板２１の上側の表面の延長面Ｓ２１よりも上側に突出している。
【００６１】
第１の傾斜板２１の長さＬ１、傾斜角度θ１、および第２の傾斜板２２の長さＬ２、傾斜角度θ２は、必要な沈殿性能が得られる適宜値を用いることができる。
【００６２】
本変形例の第１の傾斜板２１および第２の傾斜板２２の作用について、上記第２の実施形態の作用と異なる点を中心に説明する。
第１の傾斜板２１および第２の傾斜板２２は、それぞれ、上記第２の実施形態における傾斜板２０とまったく同様に、被処理水Ｗｆに含まれるフロックｆの沈殿を促進する作用を持つ。
さらに本変形例では、被処理水Ｗｆが第１の傾斜板２１および第２の傾斜板２２を通過して下降する間に、被処理水Ｗｆの流れる方向が切り換えられる。すなわち、各第１の傾斜板２１の間では、被処理水Ｗｆは第１の方向に傾斜して下降する。被処理水Ｗｆが第１の傾斜板２１の間から各第２の傾斜板２２の間に進入すると、被処理水Ｗｆは、第１の方向に交差する方向である第２の方向に傾斜して下降する。
このため、第１の傾斜板２１の下端２１ｂから斜めに下降するフロックｆは、第２の傾斜板２２の上端部あるいは上端部に位置する他のフロックに当たった後、第２の傾斜板２２に沿って第１の傾斜板２１とは反対向きの斜め方向にころがって下降する。すなわち、フロックｆの移動方向における周方向成分が反転する。
このように、本変形例では、被処理水Ｗｆおよびフロックｆが第１の傾斜板２１から第２の傾斜板２２に乗り移る際に被処理水Ｗｆの流れが大きく変わる。加えて第２の傾斜板２２上の他のフロックとの接触機会も増えるため、フロックｆの塊状化が促進される。このため、被処理水Ｗｆからのフロックｆの沈殿が促進される。
本変形例を適用した沈殿槽５１は、上記第２の実施形態の沈殿槽５１よりもさらに迅速かつ効率的に被処理水中のフロックなどの固形分を沈殿させることができる。
【００６３】
（第２の変形例）
図１３は、第２の実施形態の沈殿槽に用いることができる傾斜板の第２の変形例を示す模式図である。図１３は、図９と同様、センターウェル８から壁部１ａに向かう径方向に見た模式的な拡大図である。
【００６４】
図１３に示すように、本変形例は、上記第１の変形例の第１の傾斜板２１に代えて、第１の傾斜板２３を用いる。本変形例の第１の傾斜板２３および第２の傾斜板２２は、上記第２の実施形態沈殿槽５１において傾斜板２０に代えて用いることができる。
以下、上記第１の変形例と異なる点を中心に説明する。
【００６５】
第１の傾斜板２３は、下端部に折り曲げ部２３ｃを設けた点と、第２の傾斜板２２に対する配置位置とが、上記第１の変形例の第１の傾斜板２１と異なる。
折り曲げ部２３ｃは、鉛直下向きに折り曲げられている。このため、折り曲げ部２３ｃと鉛直軸線Ｏｖとは平行である。
本変形例において、複数の第１の傾斜板２３からなる第１群は、複数の第２の傾斜板２２からなる第２群よりも上側に配置されている。
図１３に示す例では、各第１の傾斜板２３の上側の表面の延長面Ｓ２３は、それぞれの直下の第２の傾斜板２２の上端２２ａよりも上側に位置する。さらに、各第１の傾斜板２３の折り曲げ部２３ｃは、それぞれの直下の第２の傾斜板２２に対向する。
【００６６】
本変形例の第１の傾斜板２３および第２の傾斜板２２の作用について、上記第１の変形例の作用と異なる点を中心に説明する。
本変形例では、上記第１の変形例と同様、被処理水Ｗｆが第１の傾斜板２３および第２の傾斜板２２を通過して下降する間に、被処理水Ｗｆの流れる方向が切り換えられる。
本変形例では，第１の傾斜板２３の下端に移動したフロックｆが折り曲げ部２３ｃに沿って下方に下降する．フロックｆは，折り曲げ部２３ｃが対向する第２の傾斜板２２上に着地し，第２の傾斜板２２の傾斜に沿ってころがって下降する．
このため、第１の傾斜板２３から第２の傾斜板２２への乗り移りが円滑に行われる。
さらに折り曲げ部２３ｃは、裏面側を流れる被処理水Ｗｆの流れの向きを下方に変更するガイド板の機能を持つため、被処理水Ｗｆの流れの方向が円滑に切り換えられる。加えて、折り曲げ部２３ｃを設けることで、第２の傾斜板２２を延長面Ｓ２３よりも突出させる必要がなくなるため、第１の傾斜板２３の上側の表面における被処理水Ｗｆの乱れが防止される。
このように、本変形例では、フロックｆの移動方向および被処理水Ｗｆの流れの向きが円滑に切り換えられるため、方向転換の際のフロックｆの飛散が起こりにくくなる。
本変形例を適用した沈殿槽５１は、上記第１の変形例よりもさらに迅速かつ効率的に被処理水中のフロックなどの固形分を沈殿させることができる。
【００６７】
上述した例では、第１の傾斜板２１の延長面Ｓ２３よりも、直下の第２の傾斜板２２の上端２２ａが下側である。ただし、第２の傾斜板２２の上端２２ａの位置は、直上の延長面Ｓ２３と同程度の位置でも、被処理水Ｗｆの流れの乱れは防止される。被処理水Ｗｆの流れの乱れが許容範囲であれば、第２の傾斜板２２の上端２２ａは、直上の延長面Ｓ２３よりも上側に突出されてもよい。
【００６８】
（第３の実施形態）
図１４は、第３の実施形態の沈殿槽の構成例を示す模式的な縦断面図である。
図１４に示すように、本実施形態の沈殿槽５２は、上記第２の実施形態の沈殿槽５１のセンターウェル８に代えて、センターウェル２８（管体）を持つ。
以下、上記第２の実施形態と異なる点を中心に説明する。
【００６９】
センターウェル２８は、第１の筒状部２８Ａ（溢流部）と、第２の筒状部２８Ｂとを持つ。
第１の筒状部２８Ａは、センターウェル２８の上部を構成する。第１の筒状部２８Ａの上端は、上記第２の実施形態におけるセンターウェル８と同様のウェル上端８ａである。このため、第１の筒状部２８Ａの平面視形状は、上記第２の実施形態におけるセンターウェル８と同様である。第１の筒状部２８Ａは、センターウェル８の上部と同様に、排水受け部７の底面部７ａに貫通する。ウェル上端８ａと供給堰上端５ａとの高さの関係も上記第２の実施形態と同様である。
センターウェル２８は、上記第２の実施形態のセンターウェル８の下部を第２の筒状部２８Ｂに置き換えた部材になっている。
【００７０】
第２の筒状部２８Ｂは、第１の筒状部２８Ａの下端部からウェル下端２８ｂ（下端）に向かって管路断面積が漸次拡大する筒状部（拡径部）である。図１４には、第２の筒状部２８Ｂとして、変化率一定で拡径する錐状の例が図示されている。しかし、第２の筒状部２８Ｂの拡径の変化率は、一定でなくてもよい。例えば、回転放物面状、砲弾状、釣り鐘状などの種々の拡径形状が可能である。ウェル下端２８ｂの近傍では、開口径が一定の部位が形成されてもよい。
第２の筒状部２８Ｂのウェル下端２８ｂにおける外径は、第２の筒状部２８Ｂの外周面が、各傾斜板２０の内周端部２０ｃと当接する外径である。
【００７１】
本実施形態の沈殿槽５２の作用について、上記第２の実施形態の作用と異なる点を中心に説明する。
沈殿槽５２は、上記第２の実施形態のセンターウェル８の下部を第２の筒状部２８Ｂに置き換えた点のみが異なる。これにより、第２の筒状部２８Ｂの近傍の被処理水Ｗｆの流れが上記第２の実施形態と異なる。
第２の筒状部２８Ｂの内径は、ウェル下端２８ｂにおいて最大である。第２の筒状部２８Ｂの内径は、上側に向かうにつれて第１の筒状部２８Ａの内径まで縮径している。このため、第２の筒状部２８Ｂを通る被処理水Ｗｆの上昇流は、ウェル下端２８ｂにおいて、上記第２の実施形態のセンターウェル８のウェル下端８ｂにおける流速よりも低速である。上昇流は、第２の筒状部２８Ｂと第１の筒状部２８Ａとの接続部までの間で漸次加速される。
この結果、ウェル下端２８ｂの下方における被処理水Ｗｆの流れが低速になり上記第２の実施形態の沈殿槽５１に比べて、さらに、底面部１ｂにおける沈殿物の巻き上げが抑制される。
上昇流は、第２の筒状部２８Ｂの間で漸次加速されるため、センターウェル２８内の流れの乱れが低減され、センターウェル２８内でも沈殿が円滑に進行する。
【００７２】
さらに、本実施形態では、第２の筒状部２８Ｂが各傾斜板２０の内周端部２０ｃと当接している。すなわち、センターウェル２８の上側におけるセンターウェル２８の外周面と内周端部２０ｃとの隙間が下側で閉塞されている。
この結果、センターウェル２８の外周面と内周端部２０ｃとの隙間における被処理水Ｗｆの流れが抑制されるため、各流入開口Ｓｉからの下降流はすべて各傾斜板２０の間を通って、各傾斜板２０の下方に沈降する。これにより、被処理水Ｗｆの下降流において各傾斜板２０を通して下降する割合が増大するため、より効率的に沈殿が進む。
本実施形態の沈殿槽５２は、上記第２の実施形態の沈殿槽５１よりもさらに迅速かつ効率的に被処理水中のフロックなどの固形分を沈殿させることができる。
【００７３】
（第４の実施形態）
図１５は、第４の実施形態の沈殿槽の構成例を示す模式的な縦断面図である。
図１５に示すように、本実施形態の沈殿槽５３は、上記第２の実施形態の沈殿槽５１のセンターウェル８に代えて、センターウェル３８（管体）を持つ。
以下、上記第２の実施形態と異なる点を中心に説明する。
【００７４】
センターウェル３８は、第１の筒状部３８Ａ（溢流部）と、第２の筒状部３８Ｂとを持つ。
第１の筒状部３８Ａは、センターウェル３８の上部を構成する。
第１の筒状部３８Ａは、上記第２の実施形態におけるセンターウェル８において、壁部７ｂから突出した筒状部と同様の形状を持つ。
第２の筒状部３８Ｂは、各傾斜板２０の内周端部２０ｃの内径と同一の外径の円筒部である。第２の筒状部３８Ｂの下端であるウェル下端３８ｂの鉛直方向の位置は、上記第２の実施形態のセンターウェル８のウェル下端８ｂの鉛直方向の位置と同一である。
第１の筒状部３８Ａと第２の筒状部３８Ｂとの接続部には、水平方向に延びる平板状の段部３８ｃが設けられている。
【００７５】
センターウェル３８の第１の筒状部３８Ａは、上記第２の実施形態における排水受け部７の壁部７ｂの内側に位置する。図１５に示す例では、排水受け部７の壁部７ｂの外径と第２の筒状部３８Ｂの外径とが同径であるため、上記第２の実施形態における排水受け部７の底面部７ａは、段部３８ｃに置き換えられている。
ただし、図１５に示す構成は一例である。例えば、壁部７ｂが第１の筒状部３８Ａを囲んでいれば、壁部７ｂの外径は、第２の筒状部３８Ｂの外径より小さくてもよい。この場合には、壁部７ｂは、段部３８ｃ上に立設される。
例えば、壁部７ｂの外径は第２の筒状部３８Ｂの外径より大きくてもよい。この場合には、段部３８ｃは、段部３８ｃよりも大径の底面部７ａの中心部に嵌まり込んだ形状になる。
【００７６】
センターウェル３８は、上記第２の実施形態のセンターウェル８の排水受け部７より下側を第２の筒状部３８Ｂに置き換えた部材になっている。
【００７７】
本実施形態の沈殿槽５３の作用について、上記第２の実施形態の作用と異なる点を中心に説明する。
沈殿槽５３は、上記第２の実施形態のセンターウェル８の排水受け部７より下側を第２の筒状部３８Ｂに置き換えた点のみが異なる。これにより、第２の筒状部３８Ｂの近傍の被処理水Ｗｆの流れが上記第２の実施形態と異なる。
第２の筒状部３８Ｂの外周面は、各傾斜板２０の内周端部２０ｃの全体と当接している。すなわち、センターウェル３８の外周面と各内周端部２０ｃとの間には隙間が形成されていない。
この結果、各流入開口Ｓｉからの下降流はすべて各傾斜板２０の間を通って、各傾斜板２０の下方に沈降する。このため、各傾斜板２０によって、被処理水Ｗｆの下降流に対して、より効率的に沈殿が促進される。
【００７８】
ウェル下端３８ｂにおける開口径は、上記第２の実施形態のセンターウェル８のウェル下端８ｂにおける開口径よりも大きい。このため、ウェル下端３８ｂの近傍の上昇流は、上記第２の実施形態よりも低速である。上昇流の流速は、第２の筒状部３８Ｂ内では一定である。
上昇流は、一部が段部３８ｃにぶつかってより小径の第１の筒状部３８Ａに吸い込まれる。このとき、第１の筒状部３８Ａの開口径に応じて管路断面積が変わるため、上昇流が加速される。
【００７９】
沈殿槽５３では、第２の筒状部３８Ｂ内の流速が上記第２の実施形態のセンターウェル８内よりも低速になるため、第２の筒状部３８Ｂにおいて上記第２の実施形態よりも沈殿が促進される。
さらに、センターウェル３８では、上昇流が段部３８ｃにぶつかるため、固形分の付着、成長が促進される点でも固形分の沈殿除去が促進される。
【００８０】
本実施形態の沈殿槽５３は、上記第２の実施形態の沈殿槽５１よりもさらに迅速かつ効率的に被処理水中のフロックなどの固形分を沈殿させることができる。
【００８１】
（第５の実施形態）
図１６は、第５の実施形態の沈殿槽の構成例を示す模式的な縦断面図である。
図１６に示すように、本実施形態の沈殿槽５４は、上記第４の実施形態の沈殿槽５３のセンターウェル３８、排水受け部７に代えて、センターウェル４８（管体）、排水受け部４７（排出部）を持つ。
以下、上記第４の実施形態と異なる点を中心に説明する。
【００８２】
センターウェル４８は、上記第４の実施形態における第２の筒状部３８Ｂの外径と同径の外径を持つ円筒部材である。センターウェル４８の管長は、上記第４の実施形態における排水受け部７の上端からセンターウェル３８のウェル下端３８ｂまでの長さに等しい。
センターウェル４８のウェル上端４８ａは、上記第４の実施形態における排水受け部７の上端と鉛直方向において同じ位置に配置される。
【００８３】
排水受け部４７は、上側に開口する有底容器である。排水受け部４７は、センターウェル４８の内側に収容可能な外形を持つ。本実施形態では、排水受け部４７は、筒状の溢流堰部４７ｃ（溢流部）と、溢流堰部４７ｃを下方で閉塞する底面部４７ｂとを持つ。溢流堰部４７ｃは、円筒状、多角形状などの種々の筒状形状が可能である。本実施形態では、溢流堰部４７ｃは、一例として円筒状である。
溢流堰部４７ｃの溢流堰上端４７ａ（上端）は、鉛直方向において上記第２の実施形態におけるセンターウェル８のウェル上端８ａと同じ位置に配置される。
本実施形態では、流出トラフ３は、排水受け部４７の溢流堰部４７ｃに貫通している。流出トラフ３は、排水受け部４７内に開口する。流出トラフ３は、センターウェル４８にも貫通している。
【００８４】
本実施形態では、排水受け部４７の溢流堰部４７ｃとセンターウェル４８との間の隙間に、平面視円環状の湧出開口Ｓｏが形成されている。湧出開口Ｓｏの開口面積は、流入開口Ｓｉ１、Ｓｉ２、Ｓｉ３、Ｓｉ４の開口面積の総和よりも小さい。
【００８５】
本実施形態の沈殿槽５４の作用について、上記第４の実施形態の作用と異なる点を中心に説明する。
沈殿槽５４においては、センターウェル４８の上部における被処理水Ｗｆの流れのみが上記第４の実施形態の流れと異なる。
沈殿槽５４のセンターウェル４８において排水受け部４７の下方には、上記第４の実施形態と同様の低速の上昇流が発生する。
この上昇流は、溢流堰部４７ｃとセンターウェル４８の内周面との間の隙間を上昇する。上昇した被処理水Ｗｆは湧出開口Ｓｏから湧出する。被処理水Ｗｆは溢流堰部４７ｃの溢流堰上端４７ａを溢流して排水受け部４７の内部に流出する。排水受け部４７の内部の被処理水Ｗｆは流出トラフ３を通して沈殿槽５４の外部に排出される。
【００８６】
センターウェル４８の下部における上昇流は、平均流速としては低速であるが、流路抵抗があるため、センターウェル４８の内周面に沿う流速よりも、中心部の流速の方が速い。
しかし、沈殿槽５４においては、センターウェル４８の中心部に排水受け部４７の底面部４７ｂが配置されるため、比較的流速が速い上昇流が底面部４７ｂにぶつかる。
このため、上記第４の実施形態に比べて固形分の沈殿除去がより促進される。
【００８７】
本実施形態の沈殿槽５４は、上記第４の実施形態の沈殿槽５３よりもさらに迅速かつ効率的に被処理水中のフロックなどの固形分を沈殿させることができる。
【００８８】
（第６の実施形態）
図１７は、第６の実施形態の沈殿槽の構成例を示す模式的な縦断面図である。
図１７に示すように、本実施形態の沈殿槽５５は、上記第３の実施形態の沈殿槽５２のセンターウェル２８に代えて、センターウェル５８（管体）を持つ。
以下、上記第３の実施形態と異なる点を中心に説明する。
【００８９】
センターウェル５８は、上記第３の実施形態におけるセンターウェル２８の第２の筒状部２８Ｂに代えて、第２の筒状部５８Ｂおよび第３の筒状部５８Ｃを持つ。
【００９０】
第２の筒状部５８Ｂは、上記第３の実施形態の第１の筒状部２８Ａの内径よりも大径かつウェル下端２８ｂの内径よりも小径の内径を持つ。第２の筒状部５８Ｂは、第１の筒状部２８Ａの下端部に接続される。
第１の筒状部２８Ａと第２の筒状部５８Ｂとの接続部には、水平方向に延びる平板状の段部５８ｃが設けられている。
第３の筒状部５８Ｃは、各傾斜板２０の内周端部２０ｃの内径と同一の外径の円筒部である。第３の筒状部５８Ｃは、第２の筒状部５８Ｂの下端部に接続される。第３の筒状部５８Ｃの下端であるウェル下端５８ｂの鉛直方向の位置は、上記第３の実施形態のセンターウェル２８のウェル下端２８ｂの鉛直方向の位置と同一である。
第２の筒状部５８Ｂと第３の筒状部５８Ｃとの接続部には、水平方向に延びる平板状の段部５８ｄが設けられている。
【００９１】
本実施形態の沈殿槽５５の作用について、上記第３の実施形態の作用と異なる点を中心に説明する。
沈殿槽５５のセンターウェル５８では、第１の筒状部２８Ａの下側に、第２の筒状部５８Ｂおよび第３の筒状部５８Ｃが接続されているため、下側の管体の内径が第１の筒状部２８Ａの内径から２段階に拡径している。これにより、センターウェル５８の管路断面積が上方から下方に向かうにつれて、段階的に拡径する拡径部が形成されている。
この結果、ウェル下端５８ｂの下方における被処理水Ｗｆの流れが低速になり、上記第３の実施形態の沈殿槽５２と同様に、底面部１ｂにおける沈殿物の巻き上げが抑制される。
【００９２】
第３の筒状部５８Ｃは、上記第３の実施形態における第２の筒状部２８Ｂと同様に、各傾斜板２０の内周端部２０ｃと当接している。すなわち、センターウェル５８の上側におけるセンターウェル５８の外周面と内周端部２０ｃとの隙間が下側で閉塞されている。
この結果、上記第３の実施形態と同様、被処理水Ｗｆの下降流において各傾斜板２０を通して下降する割合が増大するため、効率的に沈殿が進む。
さらに、沈殿槽５５では、センターウェル５８内の下端側の上昇流は、段部５８ｄ、５８ｃにぶつかることによっても、より沈殿が進みやすくなる。
【００９３】
本実施形態の沈殿槽５５は、上記第３の実施形態の沈殿槽５２よりもさらに迅速かつ効率的に被処理水中のフロックなどの固形分を沈殿させることができる。
【００９４】
（第７の実施形態）
図１８は、第７の実施形態の沈殿槽の構成例を示す模式的な縦断面図である。
図１８に示すように、本実施形態の沈殿槽５６は、上記第２の実施形態の沈殿槽５１のセンターウェル８内に、傾斜板２４が追加されている。
以下、上記第２の実施形態と異なる点を中心に説明する。
【００９５】
傾斜板２４は、センターウェル８の内周面からセンターウェル８の中心部に向かって径方向に突出された平板である。傾斜板２０と同様、傾斜板２４は、センターウェル８の内周面の周方向に沿って離間して複数個配置されている。各傾斜板２４の内周端部２４ｃは、センターウェル８に挿通される掻き寄せシャフト１３から一定距離だけ離間している。
各傾斜板２４の傾斜姿勢の図示は省略するが、各傾斜板２０と同様の傾斜姿勢が可能である。具体的な傾斜角度、水平方向の配置間隔、傾斜方向の長さなどは、センターウェル８内の上昇流における沈殿物の除去特性が良好となる適宜値にすればよい。
【００９６】
本実施形態の沈殿槽５６の作用について、上記第２の実施形態の作用と異なる点を中心に説明する。
沈殿槽５６は、被処理水Ｗｆの上昇流が発生するセンターウェル８内に傾斜板２４が追加されている。
周方向に隣り合う傾斜板２４の間では、被処理水Ｗｆが、傾斜板２４の傾斜に沿って、下方から上方に向かう斜め方向になる点が、傾斜板２０における流れと異なる。
被処理水Ｗｆ内のフロックなどの固形分は、傾斜板２４に沿って斜め上方に移動しつつも、自重によって下側に沈降する。このため固形分の一部は、傾斜板２４上に着地する。着地した固形分は、傾斜板２４の傾斜に沿ってころがりながら下降して底面部１ｂ上に沈殿する。
【００９７】
沈殿槽５６では、傾斜板２０による沈殿促進効果に加えて、傾斜板２４による沈殿促進効果が得られるため、上記第２の実施形態の沈殿槽５１よりもさらに迅速かつ効率的に被処理水中のフロックなどの固形分を沈殿させることができる。
【００９８】
以下、上述した実施形態の変形例について説明する。
上記各実施形態の説明では、供給路６が、放射状供給路６Ｂを持つ場合の例で説明した。しかし、供給路６は、外周側供給路６Ａのみでもよい。
【００９９】
上記各実施形態の説明では、供給路６の周方向供給堰５および供給堰９ｂの上端に切欠き部Ｎが設けられた場合の例で説明した。しかし、周方向供給堰５および供給堰９ｂが略水平に配置されることで、周方向供給堰５および供給堰９ｂからの被処理水Ｗｆの供給量の偏りが許容範囲内になれば、切欠き部Ｎは省略されてもよい。
【０１００】
上記各実施形態の説明では、センターウェル８等の管体の開口および内周面の断面形状が円形の場合の例で説明した。しかし、管体の開口および内周面の断面形状は円形には限定されない。例えば、管体の開口および内周面の断面形状は、多角形、楕円形などでもよい。
【０１０１】
上記第２の実施形態の第１の変形例および第２の変形例の説明では、傾斜板が第１群と第２群との合計２群からなる場合の例で説明した。
しかし、傾斜方向の異なる傾斜板の群は、３群以上でもよい。すなわち、上方から下方に向かって傾斜方向が順次交代する群が複数の傾斜板の群が３群以上であってもよい。
【０１０２】
上記第２の実施形態の第２の変形例の説明では、折り曲げ部２３ｃが鉛直軸線Ｏｖに平行に折り曲げられた場合の例で説明した。しかし、折り曲げ部２３ｃは、鉛直軸線Ｏｖと厳密に平行である必要はない。折り曲げ部２３ｃは、鉛直軸線Ｏｖに対して、角度θ１よりも小さい角度で斜め方向に折り曲げられていてもよい。
【０１０３】
上記第２〜第７の実施形態の説明では、傾斜板２０が槽本体１の壁部１ａの内周面から径方向内側に突出する場合の例で説明した。しかし、傾斜板２０は、壁部１ａと管体の外周面との間にて、壁部１ａの内周面から離間して配置されてもよい。すなわち、傾斜板２０の外周端部と壁部１ａとの間には隙間があってもよい。
【０１０４】
上記第３〜第７の実施形態の説明では、管体の外周面が傾斜板２０のそれぞれの内周端部２０ｃに当接している場合の例で説明した。この場合、当接部において、管体の外周面と、傾斜板２０のそれぞれの内周端部２０ｃとの間の被処理水Ｗｆの流れが抑制される。
しかし、上記第３〜第７の実施形態において、管体の外周面と、傾斜板２０の内周端部２０ｃとの一部または全部が当接していない構成としてもよい。この場合、管体の外周面と、傾斜板２０のそれぞれの内周端部２０ｃとの間の隙間が、ある程度小さければ、隙間の程度に応じて処理水Ｗｆの流れが抑制される。
【０１０５】
上記第７の実施形態の説明では、上記第２の実施形態の沈殿槽５１のセンターウェル８内に傾斜板２４が設けられた場合の例で説明した。しかし、傾斜板２４は、上記第１から第６の実施形態のいずれの管体の内部に設けられもよい。
さらに、上昇流が発生する管体の内部に配置する傾斜板は、上記第２の実施形態の第１の変形例あるいは第２の変形例におけると同様な傾斜方向が異なる傾斜板でもよい。
【０１０６】
上記第７の実施形態の説明では、センターウェル８の内周面から内側に向かって傾斜板２４が突出された場合の例で説明した。しかし、傾斜板２４は、センターウェル８内であれば、どの位置に配置されてもよい。
例えば、傾斜板２４の外周端部は、センターウェル８の内周面から離間して配置されてもよい。この場合、傾斜板２４の内周端部２４ｃは、掻き寄せシャフト１３に固定されてもよい。
【０１０７】
以上説明した少なくともひとつの実施形態によれば、槽体の内側に配置された管体と、槽体の内側であって管体の外側から被処理水を供給する供給部と、管体の内側に配置された溢流部とを持つことにより、被処理水中のフロックなどの固形分を効率よく沈殿させることができる。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１…槽本体（槽体），１ａ…壁部，２…流入トラフ，３…流出トラフ（排出部），５…周方向供給堰，５ａ…供給堰上端，６…供給路（供給部），６Ａ…外周側供給路，６Ｂ…放射状供給路，７…排水受け部（排出部），８…センターウェル（管体、溢流部），８ａ…ウェル上端（上端），８ｂ、２８ｂ、３８ｂ、５８ｂ  ウェル下端（下端），９ｂ…供給堰，９ｃ…供給堰上端，１０…掻き寄せ機構，２０、２４…傾斜板，２０ｃ、２４ｃ…内周端部，２１、２３…第１の傾斜板（第１群），２２…第２の傾斜板（第２群），２８、３８、４８、５８…センターウェル（管体），２８Ａ、３８Ａ…第１の筒状部（溢流部），２８Ｂ、３８Ｂ、５８Ｂ…第２の筒状部，３８ｃ、５８ｃ、５８ｄ…段部，４７…排水受け部（下端が閉塞された筒状部材、排出部），４７ａ…溢流堰上端（上端），４７ｂ…底面部，４７ｃ…溢流堰部（溢流部），４８ａ…ウェル上端（上端），５０、５１、５２、５３、５４、５５、５６…沈殿槽，５８Ｃ…第３の筒状部，ｆ、ｆ’、ｆ’’、ｆｄ、ｆｕ…フロック，Ｏｖ…鉛直軸線，Ｓｉ、Ｓｉ１、Ｓｉ２、Ｓｉ３、Ｓｉ４…流入開口，Ｓｏ…湧出開口，Ｗｃ…清澄水，Ｗｆ…被処理水
【図１】
0006599734.tif 000002
【図２】
0006599734.tif 000003
【図３】
0006599734.tif 000004
【図４】
0006599734.tif 000005
【図５】
0006599734.tif 000006
【図６】
0006599734.tif 000007
【図７】
0006599734.tif 000008
【図８】
0006599734.tif 000009
【図９】
0006599734.tif 000010
【図１０】
0006599734.tif 000011
【図１１】
0006599734.tif 000012
【図１２】
0006599734.tif 000013
【図１３】
0006599734.tif 000014
【図１４】
0006599734.tif 000015
【図１５】
0006599734.tif 000016
【図１６】
0006599734.tif 000017
【図１７】
0006599734.tif 000018
【図１８】
0006599734.tif 000019